(57)【要約】【課題】作業者が把持する位置よりもノズルの先端側に大きな荷重が作用することなく、極めて操作性及び作業性を良好なものとすることができる新規なスプレーガンを提供する。【解決手段】液体が収容される容器４と、加圧エアーが流入するエアー流入ポート１３と、このエアー流入ポート１３から流入したエアーが流通する一方の管路２ｅと、上記容器４内に収容された液体が流通する他方の管路２ｃと、上記一方の管路２ｅと連通してなる第１のノズル３と、上記他方の管路２ｃに連通してなるとともに上記第１のノズル３に挿通されてなる第２のノズル１１と、上記一方の管路２ｅを開閉操作するトリガー５と、を備えてなるスプレーガン１であって、上記容器４は、作業者が把持し得る形状に成形されてなるとともに、上記トリガー５は、上記容器４の配置位置よりも上記第１のノズル３の先端方向に配置されてなる。【選択図】        図３
2005334830.tif 000002
【特許請求の範囲】
【請求項１】
液体が収容される容器と、加圧エアーが流入するエアー流入ポートと、このエアー流入ポートから流入したエアーが流通する一方の管路と、上記容器内に収容された液体が流通する他方の管路と、上記一方の管路と連通してなる第１のノズルと、上記他方の管路に連通してなるとともに上記第１のノズルに挿通されてなる第２のノズルと、上記一方の管路を開閉操作するトリガーと、を備えてなるスプレーガンであって、
上記容器は、作業者が把持し得る形状に成形されてなるとともに、上記トリガーは、上記容器の配置位置よりも上記第１のノズルの先端方向に配置されてなることを特徴とするスプレーガン。
【請求項２】
前記エアー流入ポートは、前記トリガーの配置位置よりも前記第１のノズルの先端方向に配置されてなることを特徴とする請求項１記載のスプレーガン。
【請求項３】
前記他方の管路の中途部には、該他方の管路を開閉する開閉弁が配設されてなることを特徴とする請求項１又は２記載のスプレーガン。
【請求項４】
前記容器は、着脱可能とされてなることを特徴とする請求項１，２又は３記載の何れかのスプレーガン。
【発明の詳細な説明】
【技術分野】
【０００１】
本発明は、各種の装置や機器に付着した塵埃を除去し、または、該装置や機器を洗浄し、或いは液体を塗布する際に使用されるスプレーガンに関し、特に、外部に設けられたエアーコンプレッサから圧縮エアーが供給されるタイプのスプレーガンに関するものである。
【背景技術】
【０００２】
従来、スプレーガンは、コンプレッサー等と接続させノズルの先端から加圧エアーを噴射させることにより、装置や機器に付着した塵埃を除去するために使用されているのみならず、洗浄水や塗布液を収容した容器を構成要素とし、該容器内に収容された洗浄水や塗布液を霧状に噴射させるものが使用されている。こうしたスプレーガンは、作業者が手指で把持する把持部と、この把持部の上端に連続してなる水平部と、この水平部に固定されてなるノズルと、上記水平部に固定された容器とを備えている。そして、上記把持部の下端には、上記コンプレッサーに接続されたエアーチューブの一端が固定されるエアー流入ポートが形成されている。また、上記把持部の内部には、上記エアー流入ポートと上記ノズルとに連通してなる管部と、この管部の中途部を開閉する開閉弁が形成されている。また、上記把持部よりもノズルの先端側（前方側）には、上記開閉弁を開閉操作するトリガーが上記水平部に配置されている。なお、このトリガーには、常時開閉弁を閉方向に付勢するバネが取り付けられている。また、上記水平部には、上記トリガーの配置位置よりも前方側に容器取付部と、この容器取付部に取り付けられた上記容器とが取り付けられている。上記容器取付部には、上記ノズルに連通してなるとともに、先端が容器の底近傍に位置している液体チューブの基端が固定されている。したがって、上記従来のスプレーガンによれば、作業者が上記把持部を把持しながら上記バネの弾性力に抗して人差し指でトリガーを手前に引くと、それまで閉塞されていた上記管部が開放され、加圧エアーがノズルの先端から噴射されるとともに、この噴射されるエアーの吸引力により上記容器内に収容された液体が上記液体チューブを介してノズルから排出され、この液体が霧状となって噴射される。
【発明の開示】
【発明が解決しようとする課題】
【０００３】
しかしながら、上記従来のスプレーガンでは、上述したように、作業者が把持する把持部の配置位置よりもノズルの先端側に配置された上記容器及び内部に収容された液体の荷重により、先端側が下がらないように常に把持部を強固に把持しなければならず、極めて操作性が悪く、作業疲労が増大する。特に、作業の種類によっては一度に大量の液体を噴射する必要性から、上記容器の容量を大きいものとする場合には、一層操作性・作業性が悪い。
【０００４】
そこで、本発明は、上述した従来のスプレーガンが有する課題を解決するために提案されたものであって、作業者が把持する位置よりもノズルの先端側に大きな荷重が作用することなく、極めて操作性及び作業性を良好なものとすることができる新規なスプレーガンを提供することを目的とするものである。
【課題を解決するための手段】
【０００５】
上述した目的を達成するため、第１の発明（請求項１記載の発明）は、液体が収容される容器と、加圧エアーが流入するエアー流入ポートと、このエアー流入ポートから流入したエアーが流通する一方の管路と、上記容器内に収容された液体が流通する他方の管路と、上記一方の管路と連通してなる第１のノズルと、上記他方の管路に連通してなるとともに上記第１のノズルに挿通されてなる第２のノズルと、上記一方の管路を開閉操作するトリガーと、を備えてなるスプレーガンであって、上記容器は、作業者が把持し得る形状に成形されてなるとともに、上記トリガーは、上記容器の配置位置よりも上記第１のノズルの先端方向に配置されてなることを特徴とするものである。
【０００６】
なお、この第１の発明において、上記容器は、少なくとも作業者が把持できる形状に成形されていれば良く、そのサイズは特に限定されるものではない。また、エアー流入ポートは、コンプレッサー等の加圧装置に接続される部位であり、この第１の発明においては、その配置位置が特に限定されるものではなく、例えば、上記容器よりも後方（第１のノズルの先端側とは反対側）に配置されているものや、トリガーよりも前方側（第１のノズルの先端側）に配置されているものであっても良い。また、上記容器は、内部に液体が収容されるものであり、その種類が限定されるものではないとともに、このスプレーガンに関しても、装置や機器、部材等に付着した塵埃を除去するものや、上記容器内に収容された洗浄水により機器等を洗浄するもの、或いは、上記容器内に潤滑油，塗料等を収容し、この潤滑油や塗料を機器や装置，部材の表面、或いは家屋や塀の壁面等に塗布するものであっても良い。
【０００７】
また、第２の発明（請求項２記載の発明）は、上記第１の発明において、前記エアー流入ポートは、前記トリガーの配置位置よりも前記第１のノズルの先端方向に配置されてなることを特徴とするものである。
【０００８】
また、第３の発明（請求項３記載の発明）は、上記第１又は第２の何れかの発明において、前記他方の管路の中途部には、該他方の管路を開閉する開閉弁が配設されてなることを特徴とするものである。
【０００９】
また、第４の発明（請求項４記載の発明）は、上記各発明において、前記容器は、着脱可能とされてなることを特徴とするものである。
【発明の効果】
【００１０】
上記第１の発明（請求項１記載の発明）では、上記容器は、作業者が把持し得る形状に成形されてなるとともに、上記トリガーは、上記容器の配置位置よりも上記第１のノズルの先端方向に配置されてなることから、作業者により把持される位置（容器）よりも先端側に大きな荷重が作用することがない。したがって、この発明によれば、極めて操作性及び作業性を良好なものとすることができ、作業に伴う作業者の疲労を軽減することができる。
【００１１】
また、第２の発明（請求項２記載の発明）では、前記エアー流入ポートは、前記トリガーの配置位置よりも前記第１のノズルの先端方向に配置され、作業中においてエアー流入ポートが視界に入りやすく、コンプレッサー等の加圧エアー供給装置との接続不良等の異常を早期に発見することができる。また、この発明によれば、他の部位（例えば、容器の配置位置の近傍等）にエアー流入ポートを配置することによる構造の複雑化や部品点数の増加に伴う製造コストの高騰を有効に解消することができる。
【００１２】
また、第３の発明（請求項３記載の発明）では、前記他方の管路の中途部には、該他方の管路を開閉する開閉弁が配設されてなることから、該開閉弁を閉塞することにより、加圧エアーのみを第１のノズルから噴射することができる。なお、この開閉弁が、上記他方の管路を段階的に開放又は閉塞できるものである場合には、容器内に収容された液体の排出量を、洗浄又は塗布等する機器、装置、部材等の種類や形状に応じて、適宜調節することができるので、より使い勝手の良いスプレーガンとすることができる。
【００１３】
また、第４の発明（請求項４記載の発明）では、前記容器は、着脱可能とされてなることから、素材全体の材料を軽減することができ、この結果、従来のスプレーガンよりも安価に製造することができる。また、容器内に収容された液体が空となった場合には、簡単に液体を補充することができるとともに、液体が収容された別個の容器が存在する場合には、液体が収容された容器と空の容器とを交換することのみで作業を再開することができるので、より一層作業性を向上することができる。
【発明を実施するための最良の形態】
【００１４】
以下、本発明を実施するための最良の形態を、図面を参照しながら詳細に説明する。
【００１５】
この実施の形態に係るスプレーガン１は、図１又は図２に示すように、やや長尺に成形されたガン本体２と、第１のノズル３と、内部に液体が収容される容器４と、トリガー５とを備えている。上記ガン本体２は、合成樹脂により一体成形されてなるものであり、一端側の上部には、このスプレーガン１を係止する際に用いられる円弧状の係止部２ａが形成されている。また、このガン本体２の一端側の下面には、図２に示すように、凹部２ｂが形成され、この凹部２ｂを形成する内周面には、一方のネジ（符号は省略する。）が形成されている。そして、この凹部２ｂには、固定キャップ６が螺着されている。この固定キャップ６は、金属を素材とするものであり、上端には、上記凹部２ｂに形成された一方のネジ部に螺着される他方のネジ部（符号は省略する。）が外周面に形成された凸部６ａが形成され、中央には液体が流通する管部６ｂが形成され、下端側外周にはフランジ部６ｃが形成されている。また、この固定キャップ６には、上記管路６ｂに連通してなるとともに、下端は容器４の底板近傍に位置してなる液体チューブ８の上端側が内嵌挿されている。そして、上記固定キャップ６には、連結部材７を介して上記容器４が取り付けられている。
【００１６】
上記連結部材７は、合成樹脂を素材とするものであり、内側には、上記固定キャップ６が下側から挿通される円形状の挿通穴７ａと、この小径の挿通穴７ａと同軸状に形成され上記フランジ部６ｃの外径に対応した内径を有する大径の挿通穴７ｂとから構成され、この大径の挿通穴７ｂの内周面には、一方のネジ部が螺刻されている。また、上記容器４は、内部に洗浄水，油，塗布剤，コーティング剤等の液体が収容されるものであって、合成樹脂により一体成形されてなるものであって、上端には、口部４ａが形成されている。この口部４ａの外周面には、上記連結部材７に形成された一方のネジ部に下方側から螺着される他方のネジ部（符号は省略する。）が形成されている。したがって、この容器４の口部４ａを上記連結部材７の下方から挿入するように押し当てながら、該連結部材７を回動操作することにより、上記一方のネジ部と他方のネジ部とが螺着され、徐々に容器４がガン本体２側に接近し、やがて該口部４ａの上面が上記固定キャップ６の下面に圧接される。なお、上記口部４ａの上面と固定キャップ６の下面との間には、図示しない円板状のパッキンが配設されている。
【００１７】
また、上記容器４に形成された上記口部４ａの下方には、作業者が把持する把持部４ｂが形成されている。この把持部４ｂの外径寸法は、作業者が手で把持できる寸法となされ、やや径が細くされている。また、上記ガン本体２内には、図２に示すように、上記容器４内に収容された液体が、上記液体チューブ８から固定キャップ６に形成された管部６ｂを通って内部に流入する第１の管路２ｃが形成されている。なお、この第１の管路２ｃは、本発明を構成する他方の管路である。そして、この第１の管路２ｃの中途部には、（第１の）開閉弁９が配設されており、この開閉弁９には、該開閉弁９を開閉操作する操作レバー１０が固定されている。また、上記第１の管路２ｃは、上記開閉弁９の配設位置よりもガン本体２の先端側中途部において拡径された拡径管路２ｄと連続しており、この拡径管路２ｄの先端は、該ガン本体２の先端面に位置している。そして、上記ガン本体２の先端には、第１のノズル３の基端が固定されている。そして、この第１のノズル３内には、先端が該第１のノズル３の先端よりも僅かに外部に露出し、基端は、上記拡径管路２ｄを通って上記第１の管路２ｃに差し込まれた第２のノズル１１が固定されている。
【００１８】
また、上記ガン本体２の先端側中途部の下面には、加圧エアー流入ポート１３が下方に突出するように形成されている。この加圧エアー流入ポート１３は、図示しないコンプレッサー等の加圧エアー供給装置から加圧エアーを供給する図示しないエアーチューブが接続される部位であって、内側には、上記拡径管路２ｄに連通した第２の管路２ｅが形成されている。なお、この第２の管路２ｅは、本発明を構成する一方の管路である。そして、上記加圧エアー流入ポート１３の上端側には、上記ガン本体２の長さ方向と同じ方向に摺動穴１３ａが形成され、この摺動穴１３ａには、スプール１４が挿通されている。このスプール１４は、上記第２の管路２ｅの中途部を開閉するものであり、本発明を構成する第２の開閉弁である。そして、このスプール１４は、中途部に（径が縮められた）縮径部１３ｂが形成されているとともに、先端（第１のノズル３の先端方向）には、引っ張りバネ１５の一端が係止されている。また、上記ガン本体２の先端側下部には、上記引っ張りバネ１５の一端が係止される係止片２ｆが形成されている。一方、上記スプール１４の他端には、プルピン１６の一端が固定されて、他端は、後述するトリガー５に固定されている。
【００１９】
また、上記ガン本体２の下部であって、図１に示すように、上記加圧エアー流入ポート１３の配置位置と、上記容器４の配置位置との間には、トリガー５の上端が回動可能に配置されている。このトリガー５の上端は、図２に示すように、ガン本体２の下部に形成された凹部２ｇ内に挿入されてなるとともに、該凹部２ｇ内に固定された支軸１７に回動操作可能に支持されている。また、このトリガー５の上端側中途部には、このトリガー５の長さ方向と直交する方向に、貫通孔５ａが形成され、この貫通孔５ａ内には、上記支軸１７と平行となされた固定ピン１８が固定され、上記プルピン１６の他端はこの固定ピン１８に係止されている。
【００２０】
また、上記第１のノズル３は、図１に示すように、先端側にはテーパ面３ａが形成されてなるとともに、前述したように、内部には上記第２のノズル１１が挿通されている。そして、上記第１のノズル３の内径は、第２のノズル１１の外径よりも大径となされており、該第１のノズル３の内周面と第２のノズル１１の外周面との間の空間（管路）は、上記第２の管路２ｄに連通している。
【００２１】
上述した実施の形態に係るスプレーガン１によれば、図３に示すように、作業者が上記容器４に形成された把持部４ｂを手指Ｈで把持しながら、例えば人差し指Ｆで上記トリガー５を手前（容器４方向）に引くと、それまで上記引っ張りバネ１５の弾性力により前方に位置していたスプール１４が手前に移動し、上記縮径部１３ｂが第２の管路２ｅの位置まで移動する。こうした操作により、図示しない加圧エアー供給装置からの加圧エアーは、上記第２の管路２ｅから上記拡径管路２ｄ及び第１のノズル３（の内周と第２のノズル１１の外周との間の空間）を通過して外部に噴射される。このとき、上記操作レバー１０が各図に示すように起立した状態となされ、図２に示す開閉弁９が開放されている場合には、上記第１のノズル３から噴射されるエアーにより第２のノズル１１内が負圧となり、この結果、上記容器４内の液体が該第２のノズル１１の先端から吐出されるとともに、該液体とエアーとが混ざり合うことにより、図３に示すように霧Ｒとなって前方に噴射される。また、上記操作レバー１０を適宜回転させることにより、液体の吐出量を減少させることができ、該操作レバー１０を９０度回転させ開閉弁９により完全に第１の管路２ｃを閉塞することにより、エアーのみが第１のノズル３から噴射される。なお、上記トリガー５から指Ｆを放すと、上記引っ張りバネ１５の弾性力によりスプール１４が元の位置に移動し、エアー（霧Ｒ）は噴射されない。
【００２２】
そして、上記スプレーガン１では、こうした操作乃至は作業をする際に作業者が把持する部位は上記容器４であり、該容器４よりも前方には、下方に大きな荷重が作用する部材が存在していないことから、極めて操作性及び作業性を良好なものとすることができ、作業に伴う作業者の疲労を軽減することができる。特に、このスプレーガン１では、トリガー５の配置位置よりも第１のノズル３の先端方向にエアー流入ポート１３が配置されているので、該エアー流入ポート１３が作業中において視界に入りやすく、コンプレッサー等の加圧エアー供給装置との接続不良等の異常を早期に発見することができる。さらに、上記スプレーガン１では、前記第１の管路２ｃには、該第１の管路２ｃを開閉する開閉弁が配設されてなることから、該開閉弁９を閉塞することにより、加圧エアーのみを第１のノズル３から噴射することができる。また、上記開閉弁９は、上記第１の管路２ｃを段階的に開放又は閉塞できるものであることから、容器４内に収容された液体の排出量を、洗浄又は塗布等する機器、装置、部材等の種類や形状に応じて、適宜調節することができるので、より使い勝手の良いものとすることができる。
【００２３】
さらに、上記スプレーガン１では、容器４は、ガン本体２に対して着脱可能とされてなることから、該スプレーガン１の素材全体の材料を軽減することができ、この結果、従来のスプレーガンよりも安価に製造することができる。また、容器４内に収容された液体が空となった場合には、簡単に液体を補充することができるとともに、液体が収容された別個の容器４が存在する場合には、液体が収容された容器４と空の容器４とを交換することのみで作業を再開することができるので、より一層作業性を向上することができる。
【００２４】
なお、上述したスプレーガン１では、（本発明を構成する）加圧エアー流入ポート１３を、トリガー５の配置位置よりもガン本体２の先端側に配置したが、本発明（請求項１記載の発明）では、こうした位置に加圧エアー流入ポート１３が形成されている必要はなく、例えば、ガン本体２の端部（第１のノズル３の先端方向とは反対方向の端部）に形成され、上記第２の管路２ｅを、上記第１の管路２ｃと平行に形成し、上記拡径管路２ｄにおいて互いに連通する構成としても良い。
【図面の簡単な説明】
【００２５】
【図１】実施の形態に係るスプレーガンを示す斜視図である。
【図２】図１に示すスプレーガンの側断面図である。
【図３】トリガーが操作され先端から霧状の液体が噴射されている状態を示す側面図である。
【符号の説明】
【００２６】
１    スプレーガン
３    第１のノズル
４    容器
５    トリガー
９    開閉弁
１０    操作レバー
１１    第２のノズル
１３    加圧エアー流入ポート
１４    スプール
１５    引っ張りバネ
Ｈ    手指
Ｆ    指
Ｒ    霧
【図１】
2005334830.tif 000003
【図２】
2005334830.tif 000004
【図３】
2005334830.tif 000005